(57)【要約】【課題】奥行き寸法Ｄ１に比べて左右幅Ｗ１が小さく高さ寸法Ｈの大きいスリムタイプ（細型）の冷蔵庫において、回転扉の開閉のためのスペースを小さくすることができるものを提供する。【解決手段】上段に観音開き式の回転扉を設けた冷蔵室と、下段に引き出し式扉を設けた貯蔵室と、前記貯蔵室に設けられた収納容器と、前記収納容器の後部に設けられた冷却器または圧縮機とを備えた冷蔵庫において、前記回転扉を開放させた時に前方へと突き出す最大限の寸法を、前記引き出し式扉を最大限前方へと引き出した際の突き出し寸法よりも小さくし、前記冷蔵庫の左右幅寸法（Ｗ１）を５０〜６５ｃｍとし、前記回転扉を閉鎖させたときの奥行き寸法（Ｄ１）について、前記左右幅寸法（Ｗ１）の０．９５〜１．２倍とするか、または、６０〜７０ｃｍとする。【選択図】図６
2008249325.tif 000002
【特許請求の範囲】
【請求項１】
上段に観音開き式の回転扉を設けた冷蔵室と、下段に引き出し式扉を設けた貯蔵室と、前記貯蔵室に設けられた収納容器と、前記収納容器の後部に設けられた冷却器とを備えた冷蔵庫において、
前記回転扉を開放させた時に前方へと突き出す最大限の寸法を、前記引き出し式扉を最大限前方へと引き出した際の突き出し寸法よりも小さくし、
前記冷蔵庫の左右幅寸法（Ｗ１）を５０〜６５ｃｍとし、前記回転扉を閉鎖させたときの奥行き寸法（Ｄ１）を前記左右幅寸法（Ｗ１）の０．９５〜１．２倍としたことを特徴とする冷蔵庫。
【請求項２】
上段に観音開き式の回転扉を設けた冷蔵室と、下段に引き出し式扉を設けた貯蔵室と、前記貯蔵室に設けられた収納容器と、前記収納容器の後部に設けられた圧縮機とを備えた冷蔵庫において、
前記回転扉を開放させた時に前方へと突き出す最大限の寸法を、前記引き出し式扉を最大限前方へと引き出した際の突き出し寸法よりも小さくし、
前記冷蔵庫の左右幅寸法（Ｗ１）を５０〜６５ｃｍとし、前記回転扉を閉鎖させたときの奥行き寸法（Ｄ１）を前記左右幅寸法（Ｗ１）の０．９５〜１．２倍としたことを特徴とする冷蔵庫。
【請求項３】
上段に観音開き式の回転扉を設けた冷蔵室と、下段に引き出し式扉を設けた貯蔵室と、前記貯蔵室に設けられた収納容器と、前記収納容器の後部に設けられた冷却器とを備えた冷蔵庫において、
前記回転扉を開放させた時に前方へと突き出す最大限の寸法を、前記引き出し式扉を最大限前方へと引き出した際の突き出し寸法よりも小さくし、
前記冷蔵庫の左右幅寸法（Ｗ１）を５０〜６５ｃｍとし、前記回転扉を閉鎖させたときの奥行き寸法（Ｄ１）を６０〜７０ｃｍとしたことを特徴とする冷蔵庫。
【請求項４】
上段に観音開き式の回転扉を設けた冷蔵室と、下段に引き出し式扉を設けた貯蔵室と、前記貯蔵室に設けられた収納容器と、前記収納容器の後部に設けられた圧縮機とを備えた冷蔵庫において、
前記回転扉を開放させた時に前方へと突き出す最大限の寸法を、前記引き出し式扉を最大限前方へと引き出した際の突き出し寸法よりも小さくし、
前記冷蔵庫の左右幅寸法（Ｗ１）を５０〜６５ｃｍとし、前記回転扉を閉鎖させたときの奥行き寸法（Ｄ１）を前記左右幅寸法（Ｗ１）の６０〜７０ｃｍとしたことを特徴とする冷蔵庫。
【請求項５】
貯蔵室は、製氷室であることを特徴とする請求項１又は請求項３に記載の冷蔵庫。
【請求項６】
貯蔵室は、冷凍室であることを特徴とする請求項２又は請求項３に記載の冷蔵庫。
【発明の詳細な説明】
【技術分野】
【０００１】
本発明は、前面に回転扉が設けられた冷蔵庫に関し、特には、奥行き寸法に対する左右幅の比が小さく高さ寸法の大きいスリムタイプ（細型）の冷蔵庫に関する。
【背景技術】
【０００２】
一般家庭用その他で用いられる冷蔵庫は、近年、食生活の多様化等に対応してますます容量が大きくなる傾向にある。容量５００リットル前後の冷蔵庫では、左右幅寸法を７５ｃｍ以上と大きくとるのが通例であり、このような場合、左右が一対をなす観音扉式の回転扉も採用されている（例えば特許文献１）。
【０００３】
この観音扉式の回転扉は、左右の一方が大きく、他方が、より小さく設けられている。すなわち、一方の扉が補助的な回転扉であり、メインとなる回転扉を開放するだけで、大部分の収納個所での出し入れを可能としている。左右幅寸法の大きい冷蔵庫において、観音式の回転扉を左右非対称に設けることは、利便性や操作性にかなったものとして、長年にわたって完全に定着している。
【０００４】
他方、近年、経済・社会環境の変化や価値観の変化等により、「郊外の持ち家一戸建て」から、都心部の分譲マンションや賃貸マンションを好むケースが増加している。若い世帯を中心にマンション住まいが増えているが、大都市都心部のマンションでは、住戸面積が制限されることが多く、また、諸外国の住戸に比べて住戸内に物が多いという現象は、マンション住まいの場合も、一戸建ての場合と同様である。
【０００５】
そのため、マンション用を中心に、スリムタイプの冷蔵庫を採用することが検討されている。
【特許文献１】特開平７−２３４０６８号公報
【発明の開示】
【発明が解決しようとする課題】
【０００６】
ところが、スリムタイプの冷蔵庫であっても、設置スペースに余裕がない場合も多い。例えば、台所やダイニングキッチンの隅角に冷蔵庫を設置しようとすると、冷蔵庫の前方側に、扉の開閉と収納物の出し入れのためのスペースを広く空けておく必要があり、他の収納棚や通路等のためのスペースが制約されてしまう。
【０００７】
本発明は、上記問題点に鑑みなされたものであり、スリムタイプの冷蔵庫において、回転扉の開閉と収納物の出し入れのためのスペースを小さくすることができる冷蔵庫を提供しようとする。
【課題を解決するための手段】
【０００８】
本発明の冷蔵庫は、上段に観音開き式の回転扉を設けた冷蔵室と、下段に引き出し式扉を設けた貯蔵室と、前記貯蔵室に設けられた収納容器と、前記収納容器の後部に設けられた冷却器または圧縮機とを備えた冷蔵庫において、前記回転扉を開放させた時に前方へと突き出す最大限の寸法を、前記引き出し式扉を最大限前方へと引き出した際の突き出し寸法よりも小さくし、前記冷蔵庫の左右幅寸法（Ｗ１）を５０〜６５ｃｍとし、前記回転扉を閉鎖させたときの奥行き寸法（Ｄ１）について、前記左右幅寸法（Ｗ１）の０．９５〜１．２倍とするか、または、６０〜７０ｃｍとする。
【発明の効果】
【０００９】
上記構成により、回転扉の開閉と収納物の出し入れに必要な、冷蔵庫の前方側のスペースを小さくとることができる。
【発明を実施するための最良の形態】
【００１０】
本発明の実施例の冷蔵庫について、図１〜６を用いて説明する。図１の正面図には、実施例の冷蔵庫の扉の構成を示し、図２の縦断面図には、冷蔵庫内部の構成を示す。また、図３〜４の平面図には、冷蔵庫の左右の回転扉及びこれより下方の各引き出し式扉を充分に開いた際の様子、及び各扉を閉鎖した際の様子を示す。
【００１１】
図１に示すように、冷蔵庫の前面には、上段から、冷蔵室用の観音開き式の回転扉１１，１２、野菜室用の引き出し式扉２２、製氷室用及び温度切替室用の引き出し式扉２３及び２４、及び、冷凍室用の引き出し式扉２５が設けられている。
【００１２】
すなわち、図２に示すように、断熱壁からなる冷蔵庫筐体５の内部には、上段に最も収納容積の大きい冷蔵室５１が設けられ、中段に野菜室５２が設けられる。
【００１３】
そして、下段部上方には自動製氷装置を設置した製氷室と温度切替室５４を併置し、最下部には冷凍室５５を配置している。また、冷凍室５５と野菜室５２の後部には、冷凍用冷却器５７と冷蔵用冷却器５８およびそれぞれに冷却ファンを設けて、本体下部に設置した冷媒圧縮機５９の駆動により、前記各冷却器５７，５８によって冷却された冷気を各貯蔵室に送風し、それぞれを所定の設定温度に冷却制御する。冷蔵室５１内には複数の棚４を配置して複数段に亙る貯蔵品の収納空間を形成している。
【００１４】
図１中に示すように、左右の回転扉１１，１２は、それぞれヒンジ部３１，３２を通じて、冷蔵庫筐体５の左右の壁部により上下から支持されており、互いに同一の左右幅寸法を有する。すなわち、左右の回転扉１１，１２は、冷蔵庫筐体５の前面を左右に２等分する中央線Ｃ−Ｃのところで合わさっている。
【００１５】
図１及び３に示すように、各回転扉１１，１２の外面には、下端に、水平方向の取っ手１３が取り付けられており、また、図２〜３に示すように、各回転扉１１，１２の内面には、冷蔵室５１内部へと突き出す扉ポケット部材１４が取り付けられる。図示の例では、３段の扉ポケット部材１４−１〜１４−３が取り付けられている。
【００１６】
図３に示す例では、左方の回転扉１１の自由端部１１ａ内面側に、垂直に延びる回動仕切り板１１ｃが付設されており、これに、右方の回転扉１２の自由端部１２ａ内面側にあるガスケットが突き当てられて密封が行われる。また、左方の回転扉１１に、コントロールパネル１５が埋め込まれている。
【００１７】
念のため述べるならば、図４に示すように、回転扉１１，１２の閉鎖時、これら回転扉１１，１２のヒンジ側の端面１１ｂ，１２ｂは、冷蔵庫筐体５の左右の側面と、それぞれ同一平面内に位置する。すなわち、閉鎖時の回転扉１１，１２全体がなす左右幅方向の寸法と、冷蔵庫筐体５の左右幅方向の寸法とが一致する。また、引き出し式扉２２〜２５も同様である。なお、図２中に示すように、各扉１１〜１２，２２〜２５の外面（扉面）は、互いに略同一平面内にあり、各取っ手１３，２７の前方への突き出し寸法も同一である。
【００１８】
スリムタイプの冷蔵庫の幅寸法Ｗ１は、通常７０ｃｍ以下であり、特には５０〜６５ｃｍ、典型的には６０ｃｍ前後である。
【００１９】
また、扉の閉鎖時における冷蔵庫１０の奥行き寸法（冷蔵庫の据付奥行き寸法）Ｄ１は、幅寸法Ｗ１より小さいかまたは略等しい。特には、冷蔵庫の幅寸法Ｗ１の０．９５〜１．２倍であり、冷蔵庫の幅寸法Ｗ１が６０ｃｍである場合に、５７〜７２ｃｍ、特には６０〜７０ｃｍとなる。ここで、奥行き寸法Ｄ１は、取っ手１３及び調節脚部５５（図２）を除いた、扉面までの距離をいい、扉面の中央部が若干膨出している場合は、その中央部の面までの距離をいうものとする。
【００２０】
冷蔵庫１０の高さ寸法（床面からの高さ）Ｈは、冷蔵庫の幅寸法Ｗ１の２．５倍以上であり、通常１５５〜１９５ｃｍ、特には１６５〜１８５ｃｍである。
【００２１】
一方、各回転扉の幅寸法Ｗ２は、冷蔵庫の幅寸法Ｗ１のほぼ１／２であり、冷蔵庫の幅寸法Ｗ１が６０ｃｍである場合、約３０ｃｍとなる。また、回転扉１１，１２が冷蔵庫の前方に最も突き出すのは、これらを閉鎖状態から約９０°開いたときである。このときの突き出し寸法Ｄ２は、ほぼ、回転扉の幅寸法Ｗ２である。
【００２２】
この突き出し寸法Ｄ２は、より正確にいうと、各回転扉１２におけるヒンジ部３１，３２の支点からヒンジ側端面１１ａ，１１ｂまでのヒンジ外側部分の距離ｄを、回転扉の幅寸法Ｗ２から差し引いた寸法である。このヒンジ外側部分の距離ｄは、典型的には断熱壁の厚さの約１／２であり、例えば１．５ｃｍである。
【００２３】
したがって、回転扉の幅寸法Ｗ２が３０ｃｍである場合、回転扉１１，１２の最大突き出し寸法Ｄ２は、例えば２８．５ｃｍとなる。このとき、冷蔵庫の奥行き寸法Ｄ１が５７ｃｍ以上であるならば、回転扉１１，１２の最大突き出し寸法Ｄ２が、冷蔵庫の奥行き寸法Ｄ１の１／２以下となる。
【００２４】
仮に、右の回転扉１１，１２の間で幅寸法に多少の差を設けたとしても、冷蔵庫の幅寸法Ｗ１に比べて奥行き寸法Ｄ１が比較的大きければ、回転扉の最大突き出し寸法Ｄ２が、冷蔵庫の奥行き寸法Ｄ１の１／２以下となる。
【００２５】
このように、本発明のスリム型冷蔵庫では、回転扉が観音開き式に設けられるとともに、左右の回転扉の幅寸法は、ほぼ等しいか、または差が小さくなっている。
【００２６】
そのため、前方への突き出し寸法Ｄ２を小さくすることができるので、他の収納棚や構造物などとの間の冷蔵庫の前方の間隔を小さくとることができ、冷蔵庫の設置スペースの制限が大きく緩和される。また、他の収納棚や構造物等が存在しない場合にも、冷蔵庫前方の領域での人の通行を妨げないようにすることができる。
【００２７】
図５〜６の平面図及び側面図には、冷蔵庫の左右の回転扉１１，１２を約９０°開くとともに、その下方にある引き出し式収納容器を最大限前方へ引き出した際の様子を示す。
【００２８】
各引き出し式扉２２〜２５は、左右のレール機構２８により、後方の収納容器２６とともに前方にスライド可能となっている。また、図示の例で、野菜室用引き出し式扉２２及び冷凍室用引き出し式扉２５の外面には、上端部に、水平方向の取っ手２７，２９が取り付けられている。
【００２９】
図５に示すように、引き出し式扉２２〜２５を最大限引き出した際、これらのうち、野菜室用引き出し式扉２２が最も前方にまで突き出す。そして、回転扉１１，１２の自由端１１ａ，１２ａは、最も前方に突き出た際にも、野菜室用引き出し式扉２２より後方に位置する。すなわち、回転扉１１，１２の最大突き出し寸法Ｄ２は、引き出し式扉２２の前方への最大突き出し寸法Ｄ３より、小さい。
【００３０】
なお、図６に示すように、より詳しくは、製氷室扉及び温度切替室用引き出し式扉２３〜２４が、扉の厚みの分だけ野菜室用引き出し式扉２２よりも後方に位置し、冷凍室用引き出し式扉２５は、これらの中間である。そして、回転扉１１，１２の自由端１１ａ，１２ａは、最も前方に突き出た際にも、温度切替室用引き出し式扉２４より後方に位置する。すなわち、回転扉１１，１２の最大突き出し寸法Ｄ２は、最も後方にある引きだし式扉２４の突き出し寸法Ｄ４より、小さい。
【００３１】
したがって、冷蔵庫１０の前方に、引き出し式扉２２〜２５をほぼ最大限まで引き出すスペースがあれば、回転扉１１，１２を容易に開閉することができ、収納物の取り出しを行うことができる。
【００３２】
寸法構成の具体例においては、内容積４１５リットルの冷蔵庫１０の奥行き寸法（扉面までの寸法）Ｄ１が６７ｃｍ、高さ寸法が１７３ｃｍであり、回転扉１１，１２の最大突き出し寸法Ｄ２が２５ｃｍ、引き出し式扉２２の最大突き出し寸法Ｄ３が３５ｃｍである。
【００３３】
したがって、野菜室用引き出し式扉２２が最大限引き出された際に、前方の壁面または収納棚にほぼ突き当てられるとしても、回転扉１１，１２の自由端１１ａ，１２ａが最も前方に突き出す位置との間に、約１０ｃｍの間隔がある。そのため、回転扉１１，１２の開閉操作及び収納物の出し入れを容易に行うことができる。
【００３４】
図３には、回転扉１１，１２を、通常の大型収納物の出し入れにも何ら支障のない角度、すなわち最大開扉角度にまで、左右相等しい角度に開いた状態を示す。
【００３５】
使い勝手の観点から、扉ポケット部材１４は、かなり容量が大きく、奥行き方向の寸法もかなり大きい。扉ポケット部材１４の冷蔵庫奥行き方向の寸法は、例えば、冷蔵室５１の奥行き寸法の３０〜４０％となっている。
【００３６】
しかし、左右の回転扉１１，１２が例えば１３５°前後にまで開いた状態で、両回転扉１１，１２扉ポケット部材１４の先端の間には、収納物の出し入れのための充分な間隔が形成される。また、冷蔵室５１内の棚４の前方に、出し入れ操作のための充分なスペースが開かれる。この状態で出し入れ出来ないのであれば、棚４の間に挿入することもできず、通常の大型収納物の出し入れに全く支障は生じない。
【００３７】
図３の状態で回転扉１１，１２がなす左右方向の差し渡し寸法Ｗｍａｘは、取っ手１３の突き出し寸法を含めて、閉鎖時の幅寸法Ｗ１の１．６〜１．８倍である。また、このとき、回転扉１１，１２が左右方向外側に突き出す寸法Ｗ３は、閉鎖時の幅寸法Ｗ１の０．３〜０．４倍である。
【００３８】
冷蔵庫の幅寸法Ｗ１が６０ｃｍであるとすると、出し入れが容易な最大限に開いた回転扉１１，１２がなす差し渡し寸法Ｗｍａｘは、９６〜１０８ｃｍであり、左右方向に突き出す寸法Ｗ３は、１８〜２４ｃｍである。すなわち、差し渡し寸法Ｗｍａｘは、冷蔵庫の幅寸法Ｗ１の１．８倍以下である。したがって、冷蔵庫１０前方のスペースから左右方向に、この程度の幅寸法があれば、収納室への出し入れを容易に行うことができる。
【００３９】
これに対して、冷蔵室の回転扉を１枚のみの片開き式とするならば、約１３５度開いた際に、左右いずれかに突き出す寸法は、上記の約２倍である。
【００４０】
回転扉１１，１２のヒンジ部３１，３２には、開放角を制限するストッパー機構を設けることで、図３に示す状態以上に回転扉１１，１２が開放されないようにすることもできる。これにより、回転扉１１，１２が開きすぎて通行を様ゲルといったことを防止できる。また、例えば、冷蔵庫の隣にガラス戸の食器棚等が置かれる場合に、回転扉１１，１２が強く衝突することを防止できる。
【００４１】
なお、冷蔵庫１０が台所の隅角に設置された場合で、例えば左方の回転扉１１が約９０°までしか開けない場合、右方の回転扉１２を１８０°またはそれ以上まで開くようにすることができる。
【００４２】
右方の回転扉１２が１８０°またはそれ以上開かれた場合に右方外側への最大限突き出す寸法は、およそ、回転扉１２の左右方向寸法、すなわち、冷蔵庫の幅寸法Ｗ１の約１／２である。より正確には、ヒンジ部３２の支点からヒンジ側端面１１ｂまでの距離を考慮した寸法であり、上記の前方への最大突き出し寸法Ｄ２とほぼ同一である。
【００４３】
回転扉を観音開き式としない従前のスリム型冷蔵庫であれば、回転扉を１８０°開放したとき、右方への突き出し寸法は、ほぼ、冷蔵庫の幅寸法と同一となる。冷蔵庫の幅寸法が６０ｃｍであって、ヒンジ外側の寸法が２ｃｍである場合、右方への突き出し寸法は５８ｃｍになる。また、冷蔵庫の前方側に必要な出し入れのためのスペースの幅は、１１８ｃｍ（＝６０ｃｍ＋５８ｃｍ）となる。
【００４４】
回転扉１１，１２のヒンジ部３１，３２には、開放角を制限するストッパー機構を設けることで、図２に示す状態以上に回転扉１１，１２が開放されないようにすることもできる。例えば、冷蔵庫の隣にガラス戸の食器棚等が置かれる場合に、回転扉１１，１２が衝突してガラス戸や食器が割れるのを防止することができる。
【００４５】
ヒンジ部３１，３２にストッパー機構を設けるにあたり、冷蔵庫１０の設置場所の状況に応じて、左右の回転扉１１，１２の間で可能な開放角に差を設けることができる。例えば、左方の回転扉１１の取りうる最大開放角を９０°とし、右方の回転扉１２の取りうる最大開放角を１８０°とすることもできる。
【００４６】
以上に説明した実施例においては、観音開き式の回転扉の下方に、引き出し式扉２２が設けられるものとして説明したが、一対の回転扉のみが設けられるものであっても良い。この場合、扉数を少なくでき、扉の製造にかかるコストを低減することができる。
【００４７】
なお、上述の実施形態では、左右の回転扉１１，１２の寸法を左右略同一の寸法として述べているが、回転扉１１，１２の幅寸法を左右で異ならした場合について説明する。
【００４８】
この場合には、幅寸法の大きい側の回転扉の幅寸法（Ｗ２ｍａｘ）を、冷蔵庫の奥行き寸法（Ｄ１）の１／２以下とすること、または、幅寸法が大きい側（Ｗ２ｍａｘ）の回転扉が開放時に前方へと突き出す最大限の寸法が、いずれの前記引き出し式扉を最大限前方へと引き出した際の突き出し寸法よりも小さくすることで、前述の実施形態と同様の効果を得ることができる。
【図面の簡単な説明】
【００４９】
【図１】実施例の冷蔵庫の正面図である。
【図２】実施例の冷蔵庫の縦断面図である。
【図３】実施例の冷蔵庫の左右の回転扉を約１３５°開いた際の様子を示す平面図である。ここで、下方の各引き出し式収納容器は、いすれも、最大限前方に引き出されている。
【図４】実施例の冷蔵庫の各扉を閉鎖した際の様子を示す、図３に対応する平面図である。
【図５】左右の回転扉を約９０°開くとともに、その下方にある２つの引き出し式収納容器を最大限前方へ引き出した際の様子を示す平面図である。
【図６】図５とほぼ同様の状態おける側面図である。ここでは、全ての引き出し式扉が最大限前方へ引き出されている。
【符号の説明】
【００５０】
１０  冷蔵庫            １１，１２  観音扉式の回転扉  １３  回転扉の取っ手  
１４  扉ポケット部材    ２２〜２５  引き出し式扉      ３１，３２  ヒンジ部  
５  冷蔵庫筐体（キャビネット）                        ５１  冷蔵室    
Ｄ１  冷蔵庫の奥行き寸法（扉面まで）    
Ｄ２  回転扉が９０°開いた際に前方へ突き出す寸法（閉鎖時の扉面から）    
Ｄ３，Ｄ４  引き出し式扉が最大限前方に引き出された際の突き出し寸法    
Ｗ１  冷蔵庫の左右幅寸法              Ｗ２  回転扉の幅寸法    
Ｗ３  回転扉が１３５°開いた際に左右方向外側へと突き出す寸法
【図１】
2008249325.tif 000003
【図２】
2008249325.tif 000004
【図３】
2008249325.tif 000005
【図４】
2008249325.tif 000006
【図５】
2008249325.tif 000007
【図６】
2008249325.tif 000008